(57)【要約】      （修正有）【課題】毛髪をはじめとする人や動物の毛の曲げ特性を簡便に再現性よく測定できるようにする毛の曲げ特性評価用試料を提供する。【解決手段】毛の曲げ特性評価用試料１Ａが、人又は動物の複数の毛２が相互に重なり合わないように並設され、各毛２の両端が一対の固定片３に固定されたものからなる。【効果】毛髪のハリ・コシ感、ボリューム感、弾力感、根本の立ち上がり感等を、毛髪の曲げ応力の測定値によって客観的に評価する場合に有用となる。【選択図】図１
2005134344.tif 000002
【特許請求の範囲】
【請求項１】
人又は動物の複数の毛が相互に重なり合わないように並設され、各毛の両端が一対の固定片に固定されている毛の曲げ特性評価用試料。
【請求項２】
毛が人の毛髪である請求項１記載の毛の曲げ特性評価用試料。
【請求項３】
複数の毛が同一平面上に平行に配設されている請求項１又は２記載の毛の曲げ特性評価用試料。
【請求項４】
１０〜２００本の毛が並設されている請求項１〜３のいずれかに記載の毛の曲げ特性評価用試料。
【請求項５】
請求項１〜４のいずれかに記載の毛の曲げ特性評価用試料を用いて毛の曲げ特性を評価する方法。
【請求項６】
シート状薄片の曲げ応力を測定することのできる曲げ応力測定装置を用いて毛の曲げ応力を測定する請求項５記載の方法。
【発明の詳細な説明】
【技術分野】
【０００１】
本発明は、毛髪のハリ・コシ感、ボリューム感、弾力感、根元の立ち上がり感等を客観的な数値で評価するために有用な毛の曲げ特性評価用試料に関する。
【背景技術】
【０００２】
毛髪の風合いは、一般に、ハリ・コシ感、ボリューム感、弾力感、根元の立ち上がり感といった主観的表現で評価されているが、これを数値化して評価するため、毛髪の曲げ応力を測定することが検討されている（非特許文献１、非特許文献２）
【非特許文献１】J.Soc.Cosmet.Chem.Japan,Vol36(No.3),207(2002)
【非特許文献２】J.Soc.Cosmet.Chem.,29,469(1978)
【発明の開示】
【発明が解決しようとする課題】
【０００３】
しかしながら、従来の毛髪の曲げ応力の測定方法は、毛髪の１本１本を測定するため、測定値に被験者の特徴あるいは被験者間の個人差が現れるようにするには、大量の測定データを処理する必要が生じる。
【０００４】
また、毛髪の１本１本の曲げ応力の測定値は、毛髪の太さ、真円率等の形状の影響により、大きく変動する。したがって、毛髪径測定等による測定値の補正が必要となる。
【０００５】
毛髪径測定は、ノギス、マイクロメーター、顕微鏡(マイクロスコ−プ)、レーザー光源を利用した毛髪外径測定機等により、短径と長径を測定することが行われているが、何れの手法も多大な労力と測定経験が必要とされるという欠点がある。
【０００６】
これに対し、本発明は、毛髪をはじめとする人や動物の毛の曲げ特性を簡便に再現性よく測定できるようにし、被験者の特徴あるいは被験者間の個人差を把握できるようにすることを目的とする。
【課題を解決するための手段】
【０００７】
本発明者は、人又は動物の複数の毛を相互に重なり合わないように並設して一対の固定片間に固定し、これを曲げ特性の評価用試料とすると、簡便に再現性よく曲げ特性の測定値を得られることを見出した。
【０００８】
即ち、本発明は、人又は動物の複数の毛が相互に重なり合わないように並設され、各毛の両端が一対の固定片に固定されている毛の曲げ特性評価用試料を提供する。
【０００９】
また、本発明は、この試料を用いて毛の曲げ応力等の曲げ特性を評価する方法を提供する。
【発明の効果】
【００１０】
本発明の毛の曲げ特性評価用試料によれば、毛の１本１本ではなく、複数本について同時に曲げ応力等の曲げ特性の測定を行うことが可能となる。この評価用試料において、個々の毛は、その断面の長径方向や短径方向など、ランダムな方向を固定片に向けて固定されている。したがって、この評価用試料を用いて得られる曲げ特性の測定値は、毛の長径方向あるいは短径方向等の毛が固定される向きにより異なる曲げ特性の測定値を平均化したものとなる。
【００１１】
さらに、この評価用試料によれば、毛の両端が固定片で固定されているので、毛のねじれによって曲げ特性の測定値が変動することが防止される。また、個々の毛が相互に重なり合わないように設けられているので、曲げ特性の測定値が、毛相互の摩擦力によってばらつくことも防止される。
【００１２】
したがって、この評価用試料を毛の曲げ特性の測定に使用する本発明の方法によれば、個々の毛の径の測定を別個に行い、その径の測定値で曲げ特性の測定値を補正しなくても、再現性よく、曲げ特性の測定値を得ることが可能となる。よって、例えば、毛髪を用いてこの評価用試料を作製し、その曲げ応力を測定することにより、毛髪のハリ・コシ感、ボリューム感、弾力感、根元の立ち上がり感等を客観的な数値で評価することが可能となる。このハリ・コシ感、ボリューム感、弾力感、根元の立ち上がり感は、バウンス、フンワリ感、かさが多くなった感じ、ピンとした感じ、はずみのある感じ、ひきしまった感じ、押した時にもどる感じ、等と表現されることもあり、これらも同様に評価することができる。
【００１３】
なお、本発明の方法は、ハリ・コシ感、ボリューム感、弾力感、根元の立ち上がり感等の曲げ応力の増加に伴う効果だけでなく、曲げ応力の低下に伴う効果、すなわち、しなやかさ、柔軟性、等の評価にも用いることが出来るのは言うまでも無い。
【００１４】
また本発明の方法により、上述の客観的な数値評価が可能となるので、被験者相互の毛髪の曲げ特性を対比することが可能となり、また、各被験者について、毛髪化粧料の使用の前後の毛髪の曲げ特性の変化を追跡することも可能となる。
【発明を実施するための最良の形態】
【００１５】
以下、図面を参照しつつ、本発明を詳細に説明する。なお、各図中、同一符号は同一又は同等の構成要素を表している。
【００１６】
図１は、本発明の毛の曲げ特性評価用試料の一態様の平面図（ａ）とその断面の拡大模式図（ｂ）である。
【００１７】
この毛の曲げ特性評価用試料１Ａは、或る被験者からランダムに採取された長さの略等しい複数本の毛髪２を、相互に重なり合わないように略一定の間隔をあけて、同一平面上に平行に配設し、各毛髪２の両端を矩形の固定片３で固定したものである。
【００１８】
ここで、固定片３は、板紙、プラスチック板、金属板等の種々の材質の板状部材４から形成することができる。また、固定片３に毛髪２を所定間隔で貼付するための便宜上、板状部材４としては、その表面に予め方眼紙を貼り付けたものを使用してもよい。
【００１９】
固定片３の大きさやこれら相互の間隔Ｌ３は、採取できる毛髪２の長さ、この評価用試料１Ａを用いる曲げ特性の評価方法、あるいは曲げ特性の測定装置に応じて適宜定めることができるが、通常、固定片３の短辺の長さＬ１は３〜２５ｍｍ、長辺の長さＬ２は１０〜２００ｍｍ、固定片３の相互の間隔Ｌ３は３〜１０ｍｍとすることが好ましい。
【００２０】
本発明の毛の曲げ特性評価用試料に固定する毛の種類としては、毛髪２の他、人の体毛や、モルモット、ラット等の動物の体毛としてもよい。また、固定する毛の本数は、その特性評価用試料を用いて測定した曲げ特性の測定値の再現性を向上させる点からは、多い方が好ましいが、毛の種類、曲げ特性を測定する装置の検出限界、試料の作製に許容される時間等により適宜定めることが好ましい。毛髪の場合、通常１０〜２００本、好ましくは３０〜１５０本、より好ましくは５０〜１００本である。動物の体毛の場合、モルモットを例にとれば、通常１０〜２００本、好ましくは２０〜１５０本、より好ましくは３０〜５０本である。
【００２１】
毛の曲げ特性評価用試料１Ａにおいて、毛髪２相互の間隔は、固定する毛髪の本数、固定片３の大きさ、毛髪２の長さ、曲げ応力の大きさ等に応じて定める。なお、毛髪２相互の間隔に関し、本発明においては、図２に示す試料１Ｂのように、隣り合う毛髪２を相互に接触させてもよい。しかし、図３に示す試料１Ｘのように、毛髪２を重なり合わせることはしない。毛髪２を重なり合わせると、曲げ特性の測定時に毛髪相互の摩擦により再現性のよい測定値を得ることがことが困難となる。
【００２２】
毛の曲げ特性評価用試料１Ａの作製方法としては、例えば、まず、被験者からランダムに毛髪を採取する。一方、板状部材４の片面に両面粘着テープ５を貼り、その両面粘着テープ５上に毛髪２を所定間隔で並設し、その上に、両面粘着テープを貼ったもう一つの板状部材４を重ね合わせて貼り付ける。このような貼付操作により、毛髪２は、自ずとランダムな方向を板状部材４に向けて固定されることとなる。
【００２３】
本発の曲げ特性評価用試料を用いて曲げ特性を評価する方法には、特に制限はないが、例えば、布、皮革類、ゴム、フィルム等のシート状薄片の曲げ応力を測定することのできる公知の曲げ応力測定装置（例えば、KATO TECH社、KES-FB-S）を使用して、曲げ応力を測定する。
【００２４】
図４は、応力測定装置（KATO TECH社、KES-FB-S）１０に本発明の曲げ特性評価用試料１Ａを装着した状態を示している。この応力測定装置１０を用いた曲げ応力の測定では、本発明の曲げ特性評価用試料１Ａの一方の固定片３を固定チャック１１に固定し、他方の固定片３を移動チャック１２に固定し、移動チャック１２を所定の軌跡で移動させて固定チャック１１側のトルク検出部１３でトルクを検出する。
【００２５】
曲げ特性の評価方法としては、図５に示すように、毛の曲げ特性評価用試料１Ａの一方の固定片３を、その固定片３に固定されている毛髪２が水平になるように支持し、他方の固定片３側を自由端とすることにより毛の曲げ特性評価用試料１Ａを垂下させ、そのときの２つの固定片３間の垂直方向の距離Ｌ４を測定してもよい。
【００２６】
図６に示すように、毛の曲げ特性評価用試料１Ａの中央部を棒状部材２０で支持し、その両側に垂下する固定片３間の水平方向の距離Ｌ５を測定してもよい。
【００２７】
これらの測定値によっても、ハリ・コシ感、ボリューム感、弾力感、根元の立ち上がり感といった主観的表現で評価されていた毛髪の曲げ特性を、客観的数値で評価することができる。
【００２８】
なお、本発明の評価用試料を用いて毛の力学的物性を測定する方法としては、上述のように毛の曲げ特性を測定する他に、毛の引張応力や毛のねじり応力を測定する方法も考えられるが、引張応力の測定に使用できるように毛を一対の固定片３間に貼付することは難しく、測定値に高い再現性を得ることが難しい。また、本発明の評価用試料をねじり応力の測定に使用すると、毛表面の摩擦による外乱因子が発生するため、この場合にも測定値に再現性を得ることが難しい。これに対し、曲げ応力等の曲げ特性の測定には、上述の問題が生じないばかりか、毛の力学的物性を支配するキューティクルの物性変化を鋭敏に捉えることができ、測定値にも高い再現性を得ることができる。また、曲げ特性は、毛を触ったときの感触を最も反映する。よって、本発明の評価用試料を用いて毛の特性を評価するに際しては、曲げ応力等の曲げ特性を測定することが好ましい。
【実施例１】
【００２９】
実施例１
（１）専門パネラーによる毛髪の立ち上がりの評価
専門パネラー（美容師）が、７名の被験者について、それぞれの頭髪の頂部を図７（ａ）に示すようにクリップで止め、その止めた頭髪に隣接する毛髪の根元（破線で囲んだ部分）の立ち上がり具合を、図７（ｂ）に示す評価基準により評価した。
【００３０】
（２）毛髪の曲げ特性評価用試料の作製
（１）で評価した７名の被験者の毛髪を５０本ずつサンプリングし、毛髪径をレーザー外径機により測定した。結果を表１に示す。また、それぞれの被験者の毛髪について、図１に示した毛髪の曲げ特性評価用試料を作製した。
【００３１】
この場合、毛髪の曲げ特性評価用試料は、表面に方眼紙を貼り付けた板紙（短辺Ｌ1 １５ｍｍ、長辺Ｌ2 ５１ｍｍ）に、両面粘着テープ（ニチバン社、ナイスタックNWBB-15）を用いて５０本の毛髪を１ｍｍ間隔で貼り付け、さらにその上に両面粘着テープで同様の板紙を貼り付けた。この板紙の貼付を毛髪の両端で行い（両端の板紙の間隔Ｌ3 １０ｍｍ）、毛髪の曲げ特性評価用試料とした。
【００３２】
（３）曲げ応力の測定
（２）で作製した毛髪の曲げ特性評価用試料について、曲げ応力を応力測定装置（KATO TECH社、KES-FB-S）により測定した。  専門パネラーによる毛髪の立ち上がりの評価値と（２）で作製した評価用試料の曲げ応力の測定値とを表２に示し、これらの相関を図８に示す。図８から、専門パネラーによる毛髪の立ち上がりの評価値と評価用試料の曲げ応力の測定値には、良好な相関のあることがわかる。
【００３３】
【表１】
2005134344.tif 000003
【００３４】
【表２】
2005134344.tif 000004
【００３５】
実施例２
４名の被験者（Ａ、Ｂ、Ｃ、Ｄ）について、表３の配合組成のユーカリエキスローションを３ヶ月間塗布した毛髪と、ユーカリエキスローションを塗布する前の毛髪のそれぞれ５０本を採取し、レーザー外径機による毛髪径測定を行った。また、各毛髪を用いて実施例１と同様に曲げ応力評価用試料を作製し、その曲げ応力を測定した。この測定は、被験者１名の曲げ応力評価用試料について５回繰り返した。さらに、各被験者から毛髪を採取する際に、ユーカリエキスローションについてオープンアンサーの聞き取り調査を行った。
【００３６】
結果を表４〜表７に示す。ユーカリエキスローションを塗布した毛髪では、毛髪径の増減に関係なく、塗布前に比して塗布後に曲げ応力が増加する傾向があり、オープンアンサーの聞き取り調査の結果もこの解析結果を支持している。したがって、本発明の毛髪の曲げ応力評価用試料を使用して曲げ応力を測定することにより、毛髪のハリ・コシ感、ボリューム感、弾力感、根元の立ち上がり感等を数値的に評価できることがわかる。
【００３７】
【表３】
2005134344.tif 000005
【００３８】
【表４】
2005134344.tif 000006
【００３９】
【表５】
2005134344.tif 000007
【００４０】
【表６】
2005134344.tif 000008
【００４１】
【表７】
2005134344.tif 000009
【００４２】
実施例３
４匹のモルモットの体毛を集め、この体毛の曲げ特性評価用試料を作製した。
【００４３】
この場合、曲げ特性評価用試料は、ステンレス板（短辺Ｌ１ １５ｍｍ、長辺Ｌ２ ４１ｍｍ）に、両面粘着テープ（ニチバン社、ナイスタックNWBB-15）を用いて４０本のモルモットの体毛を１ｍｍ間隔で貼り付け、さらにその上に両面粘着テープで同様のステンレス板を貼り付けた。このステンレス板の貼付をモルモットの体毛の両端で行い（両端のステンレス板の間隔Ｌ３ １０ｍｍ）、体毛の曲げ評価用試料とした。
【００４４】
この体毛の曲げ特性評価用試料の曲げ応力を、応力測定装置（KATO TECH社、KES-FB-S）で測定した。結果を表８と図９に示す。
【００４５】
【表８】
2005134344.tif 000010
【００４６】
実施例４
毛髪のスタイリング剤（花王株式会社製、ヘアスプレー：ケープ  スーパーハード（無香料））を毛髪に噴射する時間を長くすると、その剤に含まれる成分が毛髪表面に付着して毛髪の曲げ応力が高まることが知られている。そこで、このスタイリング剤の噴射時間を０〜１２秒の間で変え、各噴射時間後の毛髪を用いて実施例１と同様に毛髪の曲げ応力評価用試料を作製し、その曲げ応力を測定した。
【００４７】
結果を表９と図１０に示す。この結果によれば、スタイリング剤の噴射時間を長くすると曲げ応力の測定値も上昇しており、この測定値が一般的に知られている現象と整合することがわかる。
【００４８】
【表９】
2005134344.tif 000011
【００４９】
実施例５及び比較例１
人の毛髪５０本を用いて実施例１と同様に毛髪の曲げ応力評価用試料を作製し、その曲げ応力を測定した（実施例５）。
【００５０】
また、この５０本の毛髪を相互に重なり合う毛束状に配設する以外は同様にして毛髪の曲げ特性評価用試料を作製した（比較例１）。
【００５１】
これらの評価用試料について、実施例１と同様に曲げ応力を測定した。結果を表１０、表１１及び図１１に示す。
【００５２】
これにより、毛髪を毛束状に配設した比較例１の評価用試料は、毛髪を同一平面に平行に配設した実施例５の評価用試料に比して、測定値のバラツキが有意に大きいことがわかる。
【００５３】
【表１０】
2005134344.tif 000012
【００５４】
【表１１】
2005134344.tif 000013
【産業上の利用可能性】
【００５５】
本発明の毛の曲げ特性評価用試料を用いると、毛の曲げ応力等の曲げ特性を簡便に再現性よく測定することができるので、本発明の毛の曲げ特性評価用試料は、例えば、毛髪のハリ・コシ感、ボリューム感、弾力感、根元の立ち上がり感等を、毛髪の曲げ応力の測定値によって客観的に評価する場合に有用となる。
【００５６】
また、毛に剤を施す前後の毛の硬さの変化を容易に追跡することも可能となる。したがって、剤の評価に有用となる。
【図面の簡単な説明】
【００５７】
【図１】毛の曲げ特性評価用試料の一態様の平面図（ａ）とその断面の拡大模式図（ｂ）である。
【図２】毛の曲げ特性評価用試料の異なる態様の断面模式図である。
【図３】毛の曲げ特性評価用試料の異なる態様の断面模式図である。
【図４】毛の曲げ特性評価用試料を用いた曲げ応力の測定方法の説明図である。
【図５】毛の曲げ特性評価用試料を用いた曲げ特性の測定方法の説明図である。
【図６】毛の曲げ特性評価用試料を用いた曲げ特性の測定方法の説明図である。
【図７】美容師による毛髪の立ち上がりの評価方法の説明図である。
【図８】美容師による毛髪の立ち上がりの評価値と曲げ応力の測定値との相関図である。
【図９】モルモットの体毛の曲げ応力の測定結果を示す図である。
【図１０】毛髪へのスタイリング剤の噴射時間と曲げ応力上昇分との関係図である。
【図１１】毛髪を平行に配設した評価用試料（実施例５）と毛束状に配設した評価用試料（比較例１）の曲げ応力の測定値である。
【符号の説明】
【００５８】
１Ａ、１Ｂ  毛の曲げ特性評価用試料
２    毛髪
３    固定片
４    板状材料
５    両面粘着テープ
１０    曲げ応力測定装置
１１    固定チャック
１２    移動チャック
１３    トルク検出部
２０    棒状部材
【図１】
2005134344.tif 000014
【図２】
2005134344.tif 000015
【図３】
2005134344.tif 000016
【図４】
2005134344.tif 000017
【図５】
2005134344.tif 000018
【図６】
2005134344.tif 000019
【図７】
2005134344.tif 000020
【図８】
2005134344.tif 000021
【図９】
2005134344.tif 000022
【図１０】
2005134344.tif 000023
【図１１】
2005134344.tif 000024